(57)【要約】【課題】文字を含む画像情報を読み取り，その画像データ上の所望する位置を選択し拡大調整でき，持ち運び容易な携帯式画像拡大器を提供すること。【解決手段】長方形の画像入力面１ａを片面に有する，板形状の画像入力装置１と，同形状の表示画面２ａを片面に有する，板形状の蓋部材２とから成り，該画像入力装置と蓋部材とは，該長方形の一辺に平行な軸機構の直角な断面の周りを，開閉自在に回転する開閉軸機構を有する携帯式画像拡大器であって，文字を含む画像情報４の上に，該画像入力面を被せ，該画像入力装置で画像情報を読み取り可能な構造とし，そして制御手段は，少なくともその画像データ上の所望する位置を選択し拡大調整する，所望位置拡大制御手段を有する事を特徴とする携帯式画像拡大器を確保する。【選択図】　　　図１
0003098435.tif 000002
【実用新案登録請求の範囲】
【請求項１】
長方形の画像入力面（１ａ）を片面に有する，板形状の画像入力装置（１）と，該画像入力面とほぼ同形状の表示画面（２ａ）を片面に有する，板形状の蓋部材（２）とから成り，該画像入力装置と蓋部材とは，該長方形の一辺に平行な軸機構の直角な断面の周りを，所定の開角度：θの範囲をもって，開閉自在に回転する開閉軸機構を有する携帯式画像拡大器であって，その使用状態は，該開角度：θを，少なくとも２７０度以上に開き，文字を含む画像情報（４）の上に，該画像入力面を被せ，該画像入力装置で画像情報を読み取り可能な構造とし，上方向に向いた該表示画面に，該画像情報の画像データを表示し，そして制御手段は，該画像入力装置を制御するだけでなく，該画像データ上の所望する位置を選択し，該位置を表示画面上に，所望する大きさに拡大調整する，所望位置拡大制御手段をも有し，該制御手段を含む該拡大器の回路構成を一体として該携帯式画像拡大器に内蔵し，一方，その不使用状態は，該画像入力面上に表示画面がその蓋機構として被さるように，該画像入力装置と蓋部材とを閉じて一体として収納する事を特徴とする携帯式画像拡大器。
【考案の詳細な説明】
【０００１】
【考案の属する技術分野】
本考案は，新聞・週刊誌・雑誌等の文字を含む画像情報を読み取り，画像データを確保し，該画像データ上の所望する位置を選択し，所望する大きさに拡大調整でき，持ち運び容易な携帯式画像拡大器に関する。
【０００２】
【従来の技術】
従来技術において，持ち運び容易な携帯式画像拡大器はなかった。
【０００３】
【考案が解決しようとする課題】
従来技術の携帯式画像拡大器はなかったので，新聞・週刊誌・雑誌等の文字を含む画像情報を読解するのに，その画像情報が小さすぎたりして読みにくく，読解するのにストレスがたまる問題点を有するだけでなく，特に弱視や高齢者の視力低下の人々が，読書する場合には，独力で読解できない問題点があった。
【０００４】
【課題を解決するための手段】
上記の問題点を解決するために，本考案の携帯式画像拡大器は，長方形の画像入力面を片面に有する画像入力装置と，該画像入力面とほぼ同形状の表示画面を片面に有する蓋部材とから成り，該画像入力装置と蓋部材とは，該長方形の一辺に平行な軸機構の直角な断面の周りを，開閉自在に回転する開閉軸機構を有する携帯式画像拡大器であって，そして制御手段は，該画像入力装置を制御するだけでなく，該画像データ上の所望する位置を選択し，該位置を表示画面上に，所望する大きさに拡大調整する，所望位置拡大制御手段をも有し，該携帯式画像拡大器の不使用状態は，該画像入力面上に表示画面がその蓋機構として被さるように，一体として収納する事を特徴とする。
【０００５】
【考案の実施の形態】
本考案の携帯式画像拡大器は，長方形の画像入力面を片面に有する，イメージ・スキャナ，略してスキャナとも呼ぶ，板形状の画像入力装置と，該画像入力面とほぼ同形状の表示画面を片面に有する，板形状の蓋部材とから成り，該画像入力装置と蓋部材とは，該長方形の一辺に平行な軸機構の直角な断面の周りを，所定の開角度：θの範囲をもって，開閉自在に回転する開閉軸機構を有する携帯式画像拡大器であって，該携帯式画像拡大器の使用状態は，該開角度：θを，少なくとも２７０度以上に開き，新聞・週刊誌・雑誌等の文字を含む画像情報の上に，該画像入力面を被せ，該画像入力装置で画像情報を読み取り可能な構造とし，上方向に向いた該表示画面に，該画像情報の画像データを表示し，そして制御手段は，該画像入力装置を制御するだけでなく，該画像データ上の所望する位置を選択し，該位置を表示画面上に，所望する大きさに拡大調整する，所望位置拡大制御手段をも有し，該制御手段を含む該拡大器の回路構成を一体として該携帯式画像拡大器に内蔵し，一方，該携帯式画像拡大器の不使用状態は，該開角度：θを閉じ，θ＝０とし，該画像入力面上に表示画面がその蓋機構として被さるように，該画像入力装置と蓋部材とを閉じて一体として収納する事を特徴とする。
【０００６】
本考案の携帯式画像拡大器において，画像入力装置は，この装置内における，電荷結合素子（ＣＣＤ）等から成る光センサの移動により，画像入力面から画像情報を読み取る方式とする事を特徴とする。
【０００７】
本考案の携帯式画像拡大器において，制御手段は，画像入力装置内における光センサの移動により，中央処理ユニットを介して，画像入力面から画像情報を読み取り，その画像データをメモリに格納し，該制御手段に従い，該画像データを表示画面に表示することもでき，該制御手段を含む回路構成を一体として携帯式画像拡大器に内蔵する事を特徴とする。
【０００８】
本考案の携帯式画像拡大器において，開閉軸機構は，長方形の画像入力面を片面に有する，板形状の画像入力装置の端部近傍に，該長方形の一辺に平行な軸を設け，同様にまた，該画像入力面とほぼ同形状の表示画面を片面に有する，板形状の蓋部材の端部近傍に，該長方形の一辺に平行な軸を設け，そして複数個のリング形状の各固定部材に，これらの軸を偏心軸着し軸機構とし，該画像入力装置と蓋部材とは，該軸機構の直角な断面の周りを，所定の開角度：０≦θ≦３６０度の範囲をもって，開閉自在に回転する開閉軸機構を有する携帯式画像拡大器とする事も出来る。
【０００９】
本考案の携帯式画像拡大器において，制御手段は，画像入力装置を制御するだけでなく，所望位置拡大制御手段をも有し，使用状態の該携帯式画像拡大器の画像入力装置の両端部の一方に，該携帯式画像拡大器の電源入力ボタンを，他端部に画像入力ボタンを設け，そして該所望位置拡大制御手段は，先ず，表示画面に，画像情報の画像データを等倍寸法で表示し，該画像データを縦・横それぞれ整数分割する縦・横分割線を共に選択表示可能とし，各分割線で囲む分割領域：　Ｓｋを画面分割タッチ・パネル機能により，該画像データ上の所望する大きさに拡大調整する位置を含む分割領域：Ｓｊを選択し，次に該分割領域：Ｓｊを該表示画面中央に表示し，微調整を含む拡大ボタン及び縮小ボタンを用いて，該分割領域：Ｓｊを所望する大きさに拡大調整する事も出来る。
【００１０】
本考案の携帯式画像拡大器は，制御手段において，所望位置拡大制御手段をも有しており，画像データ上の所望する位置を選択し，該位置を表示画面上に，所望する大きさに拡大調整できるので，画像情報をストレスなく読解できる作用を有するだけでなく，特に弱視や高齢者の視力低下の人々が，読書する場合にも，記事等を拡大調節しながら独力で読解でる作用をも有する。
【００１１】
本考案の携帯式画像拡大器は，不使用状態において，開角度：θを閉じ，画像入力面上に表示画面がその蓋機構として被さるように，画像入力装置と蓋部材とを閉じて一体として収納できるので，容易に持ち運びができる作用を有し，また個人で所持するだけでなく，公共機関・銀行等の窓口に置いたりして，視力障害という生活のバリア・フリーとなる作用をも有する。
【００１２】
【実施例】
この考案の実施例の図面において，図１は携帯式画像拡大器の使用状態の，（Ａ）は一部欠載側面図，そして（Ｂ）はａ矢視一部欠載正面図である。図２は，携帯式画像拡大器の蓋部材の表示画面側を画像入力面上に閉じた不使用状態の，（Ａ）は一部欠載側面図，そして（Ｂ）はその一部欠載平面図である。図３は，携帯式画像拡大器の，（Ａ）は概略回路ブロック構成図，そして（Ｂ）は制御手段の画面分割タッチ・パネル機能を含む配置図を示すａ矢視一部欠載正面図である。
【００１３】
この考案の実施例を以下説明すると，携帯式画像拡大器は，図１に示すように，長方形の画像入力面（１ａ）を片面に有する，イメージ・スキャナ，略してスキャナとも呼ぶ，板形状の画像入力装置（１）と，該画像入力面とほぼ同形状の表示画面（２ａ）を片面に有する，板形状の蓋部材（２）とから成り，該画像入力装置と蓋部材とは，該長方形の一辺に平行な軸機構の直角な断面の周りを，所定の開角度：θの範囲をもって，開閉自在に回転する開閉軸機構を有する携帯式画像拡大器であって，該携帯式画像拡大器の使用状態は，該開角度：θを，少なくとも２７０度以上に開き，新聞・週刊誌・雑誌等の文字を含む画像情報（４）の上に，該画像入力面を被せ，該画像入力装置で画像情報を読み取り可能な構造とし，上方向に向いた該表示画面に，該画像情報の画像データを表示し，そして制御手段は，該画像入力装置を制御するだけでなく，該画像データ上の所望する位置を選択し，該位置を表示画面上に，所望する大きさに拡大調整する，所望位置拡大制御手段をも有し，該制御手段を含む該拡大器の回路構成を一体として該携帯式画像拡大器に内蔵し，一方，該携帯式画像拡大器の不使用状態は，該開角度：θを閉じ，θ＝０とし，該画像入力面上に表示画面がその蓋機構として被さるように，該画像入力装置と蓋部材とを閉じて一体として収納する事を特徴とする。
【００１４】
本考案の携帯式画像拡大器の実施例において，開閉軸機構は，図１及び図２に示すように，長方形の画像入力面（１ａ）を片面に有する，板形状の画像入力装置（１）の端部近傍に，該長方形の一辺に平行な軸（１ｂ）を設け，同様にまた，該画像入力面とほぼ同形状の表示画面（２ａ）を片面に有する，板形状の蓋部材（２）の端部近傍に，該長方形の一辺に平行な軸（２ｂ）を設け，そして複数個のリング形状の各固定部材（３）に，これらの軸（１ｂ，２ｂ）を偏心軸着し軸機構とし，該画像入力装置と蓋部材とは，該軸機構の直角な断面の周りを，所定の開角度：０≦θ≦３６０度の範囲をもって，開閉自在に回転する開閉軸機構を有する携帯式画像拡大器とする事を特徴とする。
【００１５】
本考案の携帯式画像拡大器の実施例において，制御手段（７）は，図３（Ａ）に示すように，画像入力装置（１）内において，電荷結合素子（ＣＣＤ）等から成る光センサ（１ｃ）の移動により，中央処理ユニット（５）を介して，画像入力面（１ｃ）から画像情報（４）を読み取り，その画像データをメモリ（６）に格納し，該制御手段に従い，該画像データを表示画面（２ａ）に表示でき，該制御手段を含む回路構成を一体として携帯式画像拡大器に内蔵する事を特徴とする。
【００１６】
本考案の携帯式画像拡大器の実施例において，制御手段（７）は，画像入力装置（１）を制御するだけでなく，所望位置拡大制御手段をも有し，図３（Ｂ）に示すように，使用状態の該携帯式画像拡大器の画像入力装置の両端部の一方に，該携帯式画像拡大器の電源入力ボタン（７ｅ）を，他端部に画像入力ボタン（７ｄ）を設け，そして該所望位置拡大制御手段は，先ず，表示画面（２ａ）に，画像情報（４）の画像データを等倍寸法で表示し，該画像データを縦・横それぞれ整数分割（図３（Ｂ）では，３Ｘ３＝９＝Ｎ）する縦・横分割線を共に選択表示可能とし，各分割線で囲む分割領域：Ｓｋ（ｋ＝１，２，・・・・９）を画面分割タッチ・パネル（７ｅ）機能により，該画像データ上の所望する大きさに拡大調整する位置を含む分割領域：Ｓｊを選択し，次に該分割領域：Ｓｊを該表示画面中央に表示し，微調整を含む拡大ボタン（７ａ）及び縮小ボタン（７ｂ）を用いて，該分割領域：Ｓｊを所望する大きさに拡大調整する事を特徴とする。
【００１７】
本考案の携帯式画像拡大器の実施例において，画像入力装置（１）は，Ａ４版寸法（縦：２１０ｍｍ，横：２９６ｍｍ）の画像情報（４）を読み取り可能とし，そして表示画面（２ａ）は，１５インチ液晶画面（縦：２１３ｍｍ，横：２９０ｍｍ）を用いた。
【００１８】
【考案の効果】
本考案は，以上説明した様な形態で実施され，以下に記載される様な効果を有する。
【００１９】
本考案の携帯式画像拡大器は，制御手段としての所望位置拡大制御手段をも有しており，画像データ上の所望する位置を選択し，該位置を表示画面上に，所望する大きさに拡大調整できるので，画像情報をストレスなく読解できる効果を有するだけでなく，特に弱視や高齢者の視力低下の人々が，読書する場合にも，記事等を拡大調節しながら独力で読解でる効果をも有する。
【００２０】
本考案の携帯式画像拡大器は，不使用状態において，画像入力面上に表示画面がその蓋機構として被さるように，画像入力装置と蓋部材とを閉じて一体として収納できるので，容易に持ち運びができる効果を有し，また個人で所持するだけでなく，公共機関・銀行等の窓口に置いたりして，視力障害という生活のバリア・フリーとなる効果をも有する。
【図面の簡単な説明】
【図１】本考案の実施例を示す，携帯式画像拡大器の使用状態の，（Ａ）は一部欠載側面図，そして（Ｂ）はａ矢視一部欠載正面図。
【図２】本考案の実施例を示す，携帯式画像拡大器の蓋部材の表示画面側を画像入力面上に閉じた不使用状態の，（Ａ）は一部欠載側面図，そして（Ｂ）はその一部欠載平面図。
【図３】本考案の実施例を示す，携帯式画像拡大器の，（Ａ）は概略回路ブロック構成図，そして（Ｂ）は制御手段の画面分割タッチ・パネル機能を含む配置図を示すａ矢視一部欠載正面図。
【符号の説明】
１　　画像入力装置
１ａ　画像入力面
１ｂ　軸
１ｃ　光センサ
２　　蓋部材
２ａ　表示画面
２ｂ　軸
３　　固定部材
４　　画像情報
５　　中央処理ユニット（ＣＰＵ）
６　　メモリ
７　　制御手段
７ａ　拡大ボタン
７ｂ　縮小ボタン
７ｃ　画面分割タッチ・パネル
７ｄ　画像入力ボタン
７ｅ　電源入力ボタン
θ　　蓋部材の表示画面側と，画像入力装置の画像入力面側との開角度
【図１】
0003098435.tif 000003
【図２】
0003098435.tif 000004
【図３】
0003098435.tif 000005